(57)【要約】【課題】シャープペンシル用の芯２を収納する替芯ケースにおいて、蓋体４を回動して芯出口３Ｅを開閉する。更に、閉鎖用突部４Ｈを位置合わせ用の突部１Ｇに合わせることにより芯出口３Ｅを閉じるとともに、開口用突部４Ｇを位置合わせ用の突部１Ｇに合わせることにより芯出口３Ｅを開口する。【解決手段】本体１と蓋体４のどちらか一方に位置合わせ用の突部１Ｇを形成するとともに、他方に閉鎖用突部４Ｈと開口用突部４Ｇを形成する。【選択図】        図１
2006075988.tif 000002
【特許請求の範囲】
【請求項１】
シャープペンシル用の芯を収納した替芯ケースにおいて、筒状の本体と、本体の後部に取り付けられる固定部材と、固定部材に形成された芯出口を開閉するために固定部材に回動可能に取り付けられる蓋体とからなり、蓋体を回動して蓋体の開口孔を固定部材の芯出口に合わせることにより芯出口を開口し、かつ、本体と蓋体のどちらか一方に位置合わせ用の突部を形成するとともに、他方に閉鎖用突部と開口用突部を形成し、閉鎖用突部を位置合わせ用の突部に合わせることにより芯出口を閉じるとともに、開口用突部を位置合わせ用の突部に合わせることにより芯出口を開口することを特徴とする替芯ケース。
【請求項２】
シャープペンシル用の芯を収納した替芯ケースにおいて、芯出口を有する本体と、芯出口を開閉するために本体に回動可能に取り付けられる蓋体とからなり、蓋体を回動して蓋体の開口孔を本体の芯出口に合わせることにより芯出口を開口し、かつ、本体と蓋体のどちらか一方に位置合わせ用の突部を形成するとともに、他方に閉鎖用突部と開口用突部を形成し、閉鎖用突部を位置合わせ用の突部に合わせることにより芯出口を閉じるとともに、開口用突部を位置合わせ用の突部に合わせることにより芯出口を開口することを特徴とする替芯ケース。
【請求項３】
閉鎖用突部と前記位置合わせ用の突部を合わせた時、および開口用突部と前記位置合わせ用の突部を合わせた時に、凹部と突起の係合による蓋体の位置合わせ手段を設けたことを特徴とする請求項１または２記載の替芯ケース。
【請求項４】
開口用突部が閉鎖用突部より大きく形成したことを特徴とする請求項１乃至３のいずれか１項に記載の替芯ケース。
【発明の詳細な説明】
【技術分野】
【０００１】
本発明は、シャープペンシル用の芯を収納した替芯ケースに関する。
【背景技術】
【０００２】
従来、シャープペンシル用の芯を収納した替芯ケースは、円筒形の本体に蓋体を取り付け、蓋体を回動して芯出口を開閉していた。（特許文献１参照）
【特許文献１】特開２００３−２１１８９３号公報（図９、図１０、図１１）
【発明の開示】
【発明が解決しようとする課題】
【０００３】
上記したような替芯ケースは、開口用突部と閉鎖用突部がないために、芯出口の開閉を目視で確認しなければならず、操作が非常に面倒であった。
【課題を解決するための手段】
【０００４】
本発明は、シャープペンシル用の芯を収納した替芯ケースにおいて、筒状の本体と、本体の後部に取り付けられる固定部材と、固定部材に形成された芯出口を開閉するために固定部材に回動可能に取り付けられる蓋体とからなり、蓋体を回動して蓋体の開口孔を固定部材の芯出口に合わせることにより芯出口を開口し、かつ、本体と蓋体のどちらか一方に位置合わせ用の突部を形成するとともに、他方に閉鎖用突部と開口用突部を形成し、閉鎖用突部を位置合わせ用の突部に合わせることにより芯出口を閉じるとともに、開口用突部を位置合わせ用の突部に合わせることにより芯出口を開口することを第１の要旨とする。
【０００５】
また、シャープペンシル用の芯を収納した替芯ケースにおいて、芯出口を有する本体と、芯出口を開閉するために本体に回動可能に取り付けられる蓋体とからなり、蓋体を回動して蓋体の開口孔を本体の芯出口に合わせることにより芯出口を開口し、かつ、本体と蓋体のどちらか一方に位置合わせ用の突部を形成するとともに、他方に閉鎖用突部と開口用突部を形成し、閉鎖用突部を位置合わせ用の突部に合わせることにより芯出口を閉じるとともに、開口用突部を位置合わせ用の突部に合わせることにより芯出口を開口することを第２の要旨とする。
【０００６】
更に、閉鎖用突部と前記位置合わせ用の突部を合わせた時、および開口用突部と前記位置合わせ用の突部を合わせた時に、凹部と突起の係合による蓋体の位置合わせ手段を設けたことを第３の要旨とする。
【０００７】
更にまた、開口用突部が閉鎖用突部より大きく形成したことを第４の要旨とする。
【発明の効果】
【０００８】
本発明の替芯ケースは、閉鎖用突部を位置合わせ用の突部に合わせることにより芯出口を閉じるとともに、開口用突部を位置合わせ用の突部に合わせることにより芯出口を開口するので、指の感触で芯出口の開閉が確認でき非常に操作し易いという利点がある。
【発明を実施するための最良の形態】
【０００９】
替芯ケースの蓋体を回動し、閉鎖用突部や開口用突部を位置合わせ用の突部に合わせた時、位置合わせ用の突部が指に接触して芯出口の開閉を確認できる替芯ケースを実現した。
【実施例１】
【００１０】
図１、図２、図３、図４、図５および図６により本発明の実施例１の替芯ケースを説明する。尚、図１の左側を下方とし、右側を上方とする。本体１に芯２が収納可能でかつ長手方向に貫通した内孔１Ａを形成し、この円筒状の本体１の下部に係止内段１Ｂを形成するとともに、後部に係止孔１Ｃを形成する。更に、本体１の前部に細径部１Ｄを形成するとともに、後部に隆起部１Ｅを形成し、この隆起部１Ｅに貫通孔１Ｆを形成する。この本体１の係止孔１Ｃと対向する位置に後端より適宜長手方向前方に伸びて位置合わせ用の突部１Ｇを形成する。また本体１の貫通孔１Ｆより右に９０度ずれた内面にキー溝１Ｈを形成する。固定部材３は、長手方向に並列に切溝３Ａを形成して弾性部３Ｂを構成し、この弾性部３Ｂに前端が傾斜した係止突起３Ｃを形成する。この固定部材３は、下端が開口するとともに上端面３Ｄに芯出口３Ｅを形成し、この上端面３Ｄの略４分の１位の面積でかつ中心から９０度の角度でわずかに凹んだ凹部３Ｆを形成する。また、固定部材３には係止突起３Ｃより右に９０度ずれた位置にキー３Ｇを形成する。
【００１１】
この固定部材３を本体１の後端より挿入し、固定部材３のキー３Ｇを本体１のキー溝１Ｈに係合させるとともに、固定部材３の係止突起３Ｃを本体１の係止孔１Ｃに嵌合させる。したがって、固定部材３は回動することなく本体１に固定されるが、係止突起３Ｃを係止孔１Ｃより外せば固定部材３を外すことができる。この固定部材３の後部を本体１の後端より突出し、この後部に係合突起３Ｈを形成するとともに、その後方の円周上に凹条３Ｉを形成する。
【００１２】
蓋体４は、下端が開口されるとともに上端が閉鎖されて天面４Ａが形成される。この天面４Ａに開口孔４Ｂが形成されるとともに、天面４Ａ内側には開口孔４Ｂと中心軸を基点として対向する位置に係合突部４Ｃを形成する。この蓋体４の内面には円周上に伸びた固定突条４Ｄを形成する。更に、蓋体４の下端部内側に前記開口孔４Ｂと中心軸を基点として対向する位置に閉鎖用係合凹部４Ｅを形成し、かつ、閉鎖用係合凹部４Ｅと左に９０度ずれた位置に開口用係合凹部４Ｆを形成する。更に、蓋体４の外周面には、開口孔４Ｂ側に下端より長手方向に長く伸びた開口用突部４Ｇを形成するとともに、開口用突部４Ｇと右に９０度ずれた位置に、下端より長手方向に短く伸びた閉鎖用突部４Ｈを形成する。
【００１３】
この蓋体４を前記固定部材３の後部に被せ、蓋体４の固定突条４Ｄを固定部材３の凹条３Ｉに係合させる。また、蓋体４の閉鎖用係合凹部４Ｅを固定部材３の係合突起３Ｈに係合する。すると本体１の突部１Ｇと蓋体４の閉鎖用突部４Ｈが合致され、固定部材３の芯出口３Ｅが蓋体４の天面４Ａにより閉鎖される。しかも、蓋体４の天面４Ａ内側に形成された係合突部４Ｃが固定部材３の上端面３Ｄに形成された凹部３Ｆに位置し、しかも係合突部４Ｃが凹部３Ｆの左回転方向側の縁３Ｊに当接されて左方向への回転が規制されている。
【００１４】
この本体１の細径部１Ｄにゴム製の軟質部材５を被せる。この軟質部材５は円筒形で中間部の外径が両端部より細径に形成されている。更に、本体１の内孔１Ａ内にシャープペンシル用の芯２が収納され、この本体１の下部貫通孔１Ｉを閉鎖するための栓体６が着脱可能に取り付けられる。この栓体６は、上端の栓部６Ａより２つの弾性片６Ｂが下方に伸びて形成され、それぞれの弾性片６Ｂに係止突起６Ｃが形成される。この係止突起６Ｃは上方に行くにしたがって傾斜した斜面が形成されるとともに、更に、下方にストッパー部６Ｄが形成されている。この栓体６が本体１の下方より挿入されて、係止突起６Ｃが本体１の係止内段１Ｂに係止される。したがって、本体１の下部貫通孔１Ｉが閉鎖されるとともに弾性片６Ｂが本体１の下端より適宜突出して取り付けられる。また、栓体６のストッパー部６Ｄが本体１の下端に当接される。更に、軟質部材５より下方に突出した本体１の雄ねじ部１Ｊに略円錐状の口金７が着脱可能に螺合される。また、口金７の内段７Ａと本体１の下端との間が適宜離間して構成されるとともに、口金７の先端に開口孔７Ｂを形成する。しかも、前記軟質部材５は、口金７の後端と本体１の段部１Ｋの間に挟持される。
【００１５】
上記実施例１の替芯ケースにおいて、芯出口３Ｅを開くためには、左手で軟質部材５を保持し、右手で蓋体４を右回転させると、蓋体４の閉鎖用係合凹部４Ｅが固定部材３の係合突起３Ｈより外れ、蓋体４の開口用係合凹部４Ｆが固定部材３の係合突起３Ｈに係合される。また、蓋体４の係合突部４Ｃが固定部材３の凹部３Ｆの右回転方向側の縁３Ｋに当接して蓋体４の右回転が止められる。すると、本体１の突部１Ｇと蓋体４の開口用突部４Ｇが合致し、固定部材３の芯出口３Ｅと蓋体４の開口孔４Ｂが合わされて芯出口３Ｅが開口され、図７、図８、図９および図１０に示した状態となる。この状態では前述したように開口用係合凹部４Ｆが係合突起３Ｈに係合されて位置合わせが行われるので、芯出口３Ｅは確実に開口した状態を維持する。尚、使用者は芯出口３Ｅを覗き込んで確認しなくても、本体１の位置合わせ用の突部１Ｇと蓋体４の開口用突部４Ｇが合致した状態を見れば芯出口３Ｅが開口している事が判断できる。また、開口用突部４Ｇは閉鎖用突部４Ｈより長く形成されているので手の感触によっても開口していることが判断できる。この状態で替芯ケースの芯出口３Ｅを下に向ければ、数本の芯２が落下して芯出口３Ｅより取り出せる。
【００１６】
次に、替芯ケースの芯出口３Ｅを上に向けた後、左手で軟質部材５を保持し、右手で蓋体４を左に回転すれば、蓋体４の開口用係合凹部４Ｆが固定部材３の係合突起３Ｈより外れ、蓋体４の閉鎖用係合凹部４Ｅが固定部材３の係合突起３Ｈに係合される。また、蓋体４の係合突部４Ｃが固定部材３の凹部３Ｆの左回転方向側の縁３Ｊに当接して蓋体４の左回転が止められる。すると、本体１の突部１Ｇと蓋体４の閉鎖用突部４Ｈが合致し、固定部材３の芯出口３Ｅが蓋体４の天面４Ａによって閉じられ、図１、図２、図３、図４、図５、および図６に示した状態に復帰する。この状態では、閉鎖用係合凹部４Ｅが係合突起３Ｈに係合されて位置合わせが行われているので、芯出口３Ｅは確実に閉じた状態を維持できる。尚、使用者は芯出口３Ｅを覗き込んで確認しなくても、本体１の突部１Ｇと蓋体４の閉鎖用突部４Ｈが合致した状態を見れば芯出口３Ｅが閉鎖されている事が判断できる。また、閉鎖用突部４Ｈに触れた手の感触によっても開口していることが判断できる。
【００１７】
尚、上記実施例１の替芯ケースは、収納された芯２が使い終わった場合には、本体１から口金７を外した後、栓体６の弾性片６Ｂを内方に撓ませて、係止突起６Ｃを本体１の係止内段１Ｂから外し、本体１から栓体６を取り出す。また、本体１の係止孔１Ｃに嵌合された固定部材３の係止突起３Ｃを外方から押圧して外し、固定部材３を本体１から後方に取り出す。蓋体４も固体部材３に取り付けられた状態で本体１から外される。
【００１８】
次に、チャック８、締リング９、ワッシャー１０、芯タンク１１およびスプリング１２からなる機構部を本体１の前方より挿入する。また、口金７内に芯ガイド１３および芯ガイド１３に固定された合成樹脂製の芯ホルダー１４を挿入し、口金７の開口孔７Ｂより芯ガイド１３が突出するとともに、芯ホルダー１４が口金７の内面に適度の摩擦抵抗で嵌合される。尚、この芯ホルダー１４は芯２とも適度の摩擦抵抗で接触する。尚、図示していないが芯ホルダーはゴムで構成しても良い。この口金７を前記本体１の雄ねじ部１Ｊに螺合し、口金７の内段７Ａと本体１の下端によりワッシャー１０を挟持する。更に、芯タンク１１の後部にノブ１５を着脱可能に嵌合する。このノブ１５は本体１の後端より適宜突出させる。すると、図１１に示したノック式シャープペンシルとなり、替芯ケースの本体１と軟質部材５および口金７がリサイクル利用できる。
【００１９】
このノック式シャープペンシルは、本体１の後端より突出したノブ１５を押圧することによりチャック８が前進して芯２が繰り出される。また、芯タンク１１内に芯２を挿入する場合にはノブ１５を外して芯タンク１１の後端より芯２を挿入する。
【００２０】
また、本体１に形成された隆起部１Ｅの貫通孔１Ｆは、チェーンや紐を取り付けることによりキーホルダーや携帯電話用ストラップとして利用する為のものである。
【００２１】
更に、本体１の細径部１Ｄに被せられる軟質部材５を透明性を有するように構成すれば、本体１の細径部１Ｄと軟質部材５の間にシール等の加飾物を取り付けることも可能である。
【実施例２】
【００２２】
図１２により本発明の実施例２の替芯ケースを説明する。尚、図１と同一の部材は同一の符号を付してその説明を省略する。本体１０１に芯２が収納可能でかつ長手方向に貫通した内孔１０１Ａを形成する。この本体１０１の後部に隆起部１０１Ｅを形成し、この隆起部１０１Ｅに貫通孔１０１Ｆを形成する。この隆起部１０１Ｅより左に９０度ずれた位置に後端より適宜長手方向前方に伸びて位置合わせ用の突部１０１Ｇを形成する。更に、本体１０１の上端面１０１Ｌに芯出口１０１Ｍを形成し、この上端面１０１Ｌの略４分の１位の面積でかつ中心から９０度の角度でわずかに凹んだ凹部１０１Ｎを形成する。また、本体１０１の上部に係合突起１０１Ｏを形成し、その上方の円周上に凹条１０１Ｐを形成する。
【００２３】
次に、蓋体４を前記本体１０１の後部に被せ、蓋体４の固定突条４Ｄを本体１０１の凹条１０１Ｐに係合させる。また、蓋体４の閉鎖用係合凹部４Ｅを本体１０１の係合突起１０１Ｏに係合する。すると本体１０１の位置合わせ用の突部１０１Ｇと蓋体４の閉鎖用突部４Ｈが合致され、本体１０１の芯出口１０１Ｍが蓋体４の天面４Ａにより閉鎖される。しかも、蓋体４の天面４Ａ内側に形成された係合突部４Ｃが本体１０１の上端面１０１Ｌに形成された凹部１０１Ｎに位置し、しかも係合突部４Ｃが凹部１０１Ｎの左回転方向側の縁に当接されて左方向への回転が規制されている。
【００２４】
この本体１０１の細径部１０１Ｄにゴム製の軟質部材５を被せる。この軟質部材５は円筒形で中間部の外径が両端部より細径に形成されている。更に、本体１０１の内孔１０１Ａ内にシャープペンシル用の芯２が収納され、この本体１０１の雄ねじ部１０１Ｊに略円錐状の口金１０７が着脱可能に螺合される。この口金１０７の栓部１０７Ｃが本体１０１の下部貫通孔１０１Ｉに挿入され、下部貫通孔１０１Ｉが閉鎖される。また、前記軟質部材５は、口金１０７の外段１０７Ｄと本体１０１の段部１０１Ｋの間に挟持される。
【００２５】
上記実施例２の替芯ケースにおいて、芯出口１０１Ｍを開くためには、左手で軟質部材５を保持し、右手で蓋体４を右回転させると、蓋体４の閉鎖用係合凹部４Ｅが本体１０１の係合突起１０１Ｏより外れ、蓋体４の開口用係合凹部４Ｆが本体１０１の係合突起１０１Ｏに係合される。また、蓋体４の係合突部４Ｃが本体１０１の凹部１０１Ｎの右回転方向側の縁に当接して蓋体４の右回転が止められる。すると、本体１０１の位置合わせ用の突部１０１Ｇと蓋体４の開口用突部４Ｇが合致し、本体１０１の芯出口１０１Ｍと蓋体４の開口孔４Ｂが合わされて芯出口１０１Ｍが開口される。この状態では、前述したように開口用係合凹部４Ｆが係合突起１０１Ｏに係合されて位置合わせが行われるので、芯出口１０１Ｍは確実に開口した状態を維持する。尚、使用者は芯出口１０１Ｍを覗き込んで確認しなくても、本体１０１の位置合わせ用の突部１０１Ｇと蓋体４の開口用突部４Ｇが合致した状態を指の感触で判断できる。もちろん、位置合わせ用の突部１０１Ｇと開口用突部４Ｇが合致した状態を目で確認すれば芯出口１０１Ｍが開口している事がより確実に判断できる。また、開口用突部４Ｇは、閉鎖用突部４Ｈより長く形成されているので手の感触によっても開口していることが判断できる。この状態で替芯ケースの芯出口１０１Ｍを下に向ければ、数本の芯２が落下して芯出口１０１Ｍより取り出せる。
【００２６】
次に、替芯ケースの芯出口１０１Ｍを上に向けた後、左手で軟質部材５を保持し、右手で蓋体４を左に回転すれば、蓋体４の開口用係合凹部４Ｆが本体１０１の係合突起１０１Ｏより外れ、蓋体４の閉鎖用係合凹部４Ｅが本体１０１の係合突起１０１Ｏに係合される。また、蓋体４の係合突部４Ｃが本体１０１の凹部１０１Ｎの左回転方向側の縁に当接して蓋体４の左回転が止められる。すると、本体１０１の位置合わせ用の突部１０１Ｇと蓋体４の閉鎖用突部４Ｈが合致し、本体１０１の芯出口１０１Ｍが蓋体４の天面４Ａによって閉じられ図１２の状態に復帰する。この状態では、閉鎖用係合凹部４Ｅが係合突起１０１Ｏに係合されて位置合わせが行われているので、芯出口１０１Ｍは確実に閉じた状態を維持できる。尚、使用者は芯出口１０１Ｍを覗き込んで確認しなくても、本体１０１の位置合わせ用の突部１０１Ｇと蓋体４の閉鎖用突部４Ｈが合致した状態を目で確認すれば芯出口１０１Ｍが閉鎖している事がより確実に判断できる。また、閉鎖用突部４Ｈに触れた手の感触によっても開口していることが判断できる。
【００２７】
尚、上記実施例はいずれも本体に位置合わせ用の突部が形成され、蓋体に閉鎖用突部と開口用突部が形成されているが、本体に閉鎖用突部と開口用突部を形成し、蓋体に位置合わせ用突部を形成しても良い。また、図示していないが蓋体に閉鎖用係合突起と開口用係合突起を形成し、本体または固定部材に係合凹部を形成し、この凹部と突部の係合により蓋体の位置合わせ手段を構成しても良い。
【産業上の利用可能性】
【００２８】
芯出口を覗き込んで開閉を確認しなくても、指の感触で芯出口の開閉を判断できる替芯ケースに適用できる。
【図面の簡単な説明】
【００２９】
【図１】本発明の実施例１の替芯ケースを示す縦断面図である。（実施例１）
【図２】本発明の実施例１の替芯ケースを示す主要部正面図である。（実施例１）
【図３】図１のＡ−Ａ線を示す縦断面図である。（実施例１）
【図４】図１のＢ−Ｂ線を示す断面図である。（実施例１）
【図５】図１のＣ−Ｃ線を示す断面図である。（実施例１）
【図６】図５のＤ−Ｄ線を示す主要部断面図である。（実施例１）
【図７】本発明の実施例１の替芯ケースにおいて芯出口を開いた状態を示す主要部正面図である。（実施例１）
【図８】図７のＥ−Ｅ線を示す主要部断面図である。（実施例１）
【図９】図８のＦ−Ｆ線を示す断面図である。（実施例１）
【図１０】図８のＧ−Ｇ線を示す断面図である。（実施例１）
【図１１】本発明の実施例１の替芯ケースをノック式シャープペンシルに利用した状態を示す縦断面図である。（実施例１）
【図１２】本発明の実施例２の替芯ケースを示す縦断面図である。（実施例２）
【図１３】本発明の実施例２の替芯ケースを示す主要部正面図である。（実施例２）
【図１４】図１３のＡ−Ａ線を示す断面図である。（実施例２）
【符号の説明】
【００３０】
１  本体
１Ｇ  本体１の突部
２  芯
３  固定部材
３Ｅ  固定部材３の芯出口
４  蓋体
４Ｂ  蓋体４の開口孔
４Ｇ  蓋体４の開口用突部
４Ｈ  蓋体４の閉鎖用突部
１０１  本体
１０１Ｇ  本体１０１の突部
１０１Ｍ  本体１０１の芯出口
【図１】
2006075988.tif 000003
【図２】
2006075988.tif 000004
【図３】
2006075988.tif 000005
【図４】
2006075988.tif 000006
【図５】
2006075988.tif 000007
【図６】
2006075988.tif 000008
【図７】
2006075988.tif 000009
【図８】
2006075988.tif 000010
【図９】
2006075988.tif 000011
【図１０】
2006075988.tif 000012
【図１１】
2006075988.tif 000013
【図１２】
2006075988.tif 000014
【図１３】
2006075988.tif 000015
【図１４】
2006075988.tif 000016